(57)【特許請求の範囲】
【請求項１】
表示パネルへ光を照射するバックライトの発光量を制御する表示制御装置であって、
入力された画像データの輝度値に基づいて前記バックライトの目標発光量を決定する目標発光量決定手段と、
前記目標発光量決定手段によって決定された目標発光量と前記バックライトの現在の発光量との差分値に応じて前記現在の発光量からの変化量を決定する変化量決定手段と、
前記変化量決定手段によって決定された変化量だけ前記現在の発光量を変化させた発光量を前記バックライトの発光量として決定する発光量決定手段と、
前記発光量決定手段によって決定された前記バックライトの発光量を所定フレーム分記憶する発光量履歴記憶手段と、
を備え、
前記変化量決定手段は、
前記発光量履歴記憶手段に記憶された所定フレーム分の発光量のうち隣接するフレーム間の発光量の差分値が全て所定値以上である場合に、画面が点滅していると判定し、かつ、画面が点滅していると判定した場合には、画像が点滅していない場合と比較して前記現在の発光量からの変化量を少なくすることを特徴とする表示制御装置。
【請求項２】
大きさの異なる複数の閾値によって区切られる範囲ごとに変化量を対応付けた変化量設定情報を記憶する変化量記憶手段
をさらに備え、
前記変化量決定手段は、
前記複数の閾値によって区切られる範囲のうち前記差分値が属する範囲に対応付けられた変化量を前記変化量設定情報を用いて特定し、特定した変化量を前記現在の発光量からの変化量として決定する
ことを特徴とする請求項１に記載の表示制御装置。
【請求項３】
前記変化量記憶手段は、
前記複数の閾値によって区切られる範囲のうち、より値の大きい閾値によって区切られる範囲ほど大きい変化量を対応付けた変化量設定情報を記憶することを特徴とする請求項２に記載の表示制御装置。
【請求項４】
前記変化量記憶手段は、
前記目標発光量が前記バックライトの現在の発光量よりも多い場合に用いられる第１の変化量設定情報と、前記目標発光量が前記バックライトの現在の発光量よりも少ない場合に用いられる第２の変化量設定情報とを記憶し、
前記変化量決定手段は、
前記目標発光量が前記バックライトの現在の発光量よりも多い場合には、前記第１の変化量設定情報を用いて前記現在の発光量からの変化量を決定し、前記目標発光量が前記バックライトの現在の発光量よりも少ない場合には、前記第２の変化量設定情報を用いて前記現在の発光量からの変化量を決定することを特徴とする請求項２または３に記載の表示制御装置。
【請求項５】
前記変化量決定手段は、
前記差分値が所定の値を下回る場合に、前記現在の発光量からの変化量を０とすることを特徴とする請求項１〜４のいずれか一つに記載の表示制御装置。
【請求項６】
表示パネルへ光を照射するバックライトの発光量を制御する表示制御方法であって、
入力された画像データの輝度値に基づいて前記バックライトの目標発光量を決定する目標発光量決定工程と、
前記目標発光量決定工程において決定した目標発光量と前記バックライトの現在の発光量との差分値に応じて前記現在の発光量からの変化量を決定する変化量決定工程と、
前記変化量決定工程において決定した変化量だけ前記現在の発光量を変化させた発光量を前記バックライトの発光量として決定する発光量決定工程と、
前記発光量決定工程において決定した前記バックライトの発光量を所定フレーム分記憶する発光量履歴記憶工程と、
を含み、
前記変化量決定工程は、
前記発光量履歴記憶工程において記憶した所定フレーム分の発光量のうち隣接するフレーム間の発光量の差分値が全て所定値以上である場合に、画面が点滅していると判定し、かつ、画面が点滅していると判定した場合には、画像が点滅していない場合と比較して前記現在の発光量からの変化量を少なくすることを特徴とする表示制御方法。
【発明の詳細な説明】
【技術分野】
【０００１】
本発明は、表示制御装置および表示制御方法に関し、特に、バックライトによる消費電力を抑えつつ、画像の明るさが頻繁に変化した場合に生じる画面のちらつきを低減することができる表示制御装置および表示制御方法に関する。
【背景技術】
【０００２】
近年、カーナビゲーションの普及に伴い、自動車には液晶ディスプレイを有する車載装置が搭載されることが一般的となってきている。
【０００３】
液晶ディスプレイは、バックライトから照射された光を部分的に遮ったり透過させたりすることによって映像の表示を行っているが、バックライトによる消費電力の高さが省電力化の妨げとなっている。そこで、近年では、バックライトによる消費電力を削減するための様々な試みがなされている。
【０００４】
たとえば、特許文献１には、映像の明るさに応じてバックライトの発光量を制御することで、バックライトによる消費電力を削減する技術が開示されている。具体的には、特許文献１に記載の技術では、映像に含まれる画素の輝度分布（ヒストグラム）を作成し、作成したヒストグラムを用いて高輝度側から累積画素数を計数していき所定の画素数に達した位置の輝度値をバックライト発光量として決定する。
【０００５】
これにより、特許文献１に記載の技術では、暗い映像の場合には、高輝度側に位置する画素数が少ないためバックライトの発光量が少なく設定され、明るい映像の場合には、高輝度側に位置する画素数が多いためバックライトの発光量が多く設定されることとなる。
【先行技術文献】
【特許文献】
【０００６】
【特許文献１】特開２００７−２１９４７７号公報
【発明の概要】
【発明が解決しようとする課題】
【０００７】
しかしながら、特許文献１に記載の技術には、画像の明るさが頻繁に変化した場合に、液晶ディスプレイに表示される画面にちらつきが発生するおそれがあるという問題があった。これは、映像の暗部がバックライト発光量の変化によって輝度への影響を受けやすく、急激なバックライト発光量の変化がちらつきの原因となるためである。
【０００８】
このため、特に、暗いシーンと明るいシーンとが交互に繰り返される場合には、暗いシーンであるにも関わらずバックライトの発光量が多めに設定されたり、逆に、明るいシーンであるにも関わらずバックライトの発光量が少なめに設定されたりする場合があり、これによって画面にちらつきが発生することとなる。
【０００９】
これらのことから、バックライトによる消費電力を抑えつつ、画像の明るさが頻繁に変化した場合に生じる画面のちらつきを低減することができる表示制御装置あるいは表示制御方法をいかにして実現するかが大きな課題となっている。
【００１０】
本発明は、上述した従来技術による問題点を解消するためになされたものであって、バックライトによる消費電力を抑えつつ、画像の明るさが頻繁に変化した場合に生じる画面のちらつきを低減することができる表示制御装置および表示制御方法を提供することを目的とする。
【課題を解決するための手段】
【００１１】
上述した課題を解決し、目的を達成するために、本発明に係る表示制御装置は、表示パネルへ光を照射するバックライトの発光量を制御する表示制御装置であって、入力された画像データの輝度値に基づいて前記バックライトの目標発光量を決定する目標発光量決定手段と、前記目標発光量決定手段によって決定された目標発光量と前記バックライトの現在の発光量との差分値に応じて前記現在の発光量からの変化量を決定する変化量決定手段と、前記変化量決定手段によって決定された変化量だけ前記現在の発光量を変化させた発光量を前記バックライトの発光量として決定する発光量決定手段と、前記発光量決定手段によって決定された前記バックライトの発光量を所定フレーム分記憶する発光量履歴記憶手段と、を備え、前記変化量決定手段は、前記発光量履歴記憶手段に記憶された所定フレーム分の発光量のうち隣接するフレーム間の発光量の差分値が全て所定値以上である場合に、画面が点滅していると判定し、かつ、画面が点滅していると判定した場合には、画像が点滅していない場合と比較して前記現在の発光量からの変化量を少なくすることを特徴とする。
【００１２】
また、本発明に係る表示制御方法は、表示パネルへ光を照射するバックライトの発光量を制御する表示制御方法であって、入力された画像データの輝度値に基づいて前記バックライトの目標発光量を決定する目標発光量決定工程と、前記目標発光量決定工程において決定した目標発光量と前記バックライトの現在の発光量との差分値に応じて前記現在の発光量からの変化量を決定する変化量決定工程と、前記変化量決定工程において決定した変化量だけ前記現在の発光量を変化させた発光量を前記バックライトの発光量として決定する発光量決定工程と、前記発光量決定工程において決定した前記バックライトの発光量を所定フレーム分記憶する発光量履歴記憶工程と、を含み、前記変化量決定工程は、前記発光量履歴記憶工程において記憶した所定フレーム分の発光量のうち隣接するフレーム間の発光量の差分値が全て所定値以上である場合に、画面が点滅していると判定し、かつ、画面が点滅していると判定した場合には、画像が点滅していない場合と比較して前記現在の発光量からの変化量を少なくすることを特徴とする。
【発明の効果】
【００１３】
本発明によれば、入力された画像データの輝度値に基づいて前記バックライトの目標発光量を決定し、決定された目標発光量とバックライトの現在の発光量との差分値に応じて現在の発光量からの変化量を決定し、決定された変化量だけ現在の発光量を変化させた発光量をバックライトの発光量として決定することとしたので、バックライトによる消費電力を抑えつつ、画像の明るさが頻繁に変化した場合に生じる画面のちらつきを低減することができるという効果を奏する。
【図面の簡単な説明】
【００１４】
【図１】図１は、本発明に係る表示制御手法の概要を示す図である。
【図２】図２は、本実施例に係る表示制御装置の構成を示すブロック図である。
【図３】図３は、ヒストグラム解析部の動作例を示す図である。
【図４】図４は、本実施例に係る発光量変更部の構成を示すブロック図である。
【図５】図５は、変化量設定情報の一例を示す図である。
【図６】図６は、変化量決定部および発光量決定部の動作例を示す図である。
【図７】図７は、本実施例に係る表示制御装置の処理手順を示すフローチャートである。
【図８】図８は、変化量決定部の他の動作例を示す図である。
【図９】図９は、変化量決定部の他の動作例を示す図である。
【発明を実施するための形態】
【００１５】
以下に添付図面を参照して、本発明に係る表示制御装置および表示制御方法の実施例を詳細に説明する。
【００１６】
まず、実施例の詳細な説明に先立って、本発明に係る表示制御手法の概要について図１を用いて説明する。図１は、本発明に係る表示制御手法の概要を示す図である。ここで、同図の（Ａ）には、従来の表示制御手法の概要を、同図の（Ｂ）には、本発明に係る表示制御手法の概要を、それぞれ示している。なお、同図の（Ａ）および（Ｂ）に示したグラフは、バックライトの発光量の経時変化をあらわしている。また、横軸に付した時刻ｔ０〜ｔ３は、フレームの更新タイミングをあらわしている。
【００１７】
従来の表示制御手法では、あるフレームの輝度分布に基づいて目標発光量が決定された場合に、決定された目標発光量をそのまま次のフレームにおけるバックライトの発光量として採用していた。たとえば、同図の（Ａ）に示したように、従来の表示制御手法では、時刻ｔ０において更新されたフレームの輝度分布に基づいて決定された目標発光量を、時刻ｔ１におけるバックライトの発光量として決定していた。
【００１８】
このように、目標発光量をバックライトの発光量として即反映することとすると、実際の発光量と目標発光量とが大きく異なる場合に、バックライトの発光量が急激に変化することによって画面のちらつきが発生するおそれがある。特に、明るい画像と暗い画像とが交互に繰り返された場合に、適用すべき発光量と実際に適用される発光量との差が大きくなりやすく、画面のちらつきが顕著となる。
【００１９】
そこで、本発明に係る表示制御手法では、入力画像の輝度分布に基づいてバックライトの目標発光量が決定された場合に、現在の発光量を複数フレームかけて段階的に変化させることによって、決定された発光量と一致させる点に特徴を有する。また、本発明に係る表示制御手法では、現在の発光量を直線的に変化させるのではなく、目標発光量との差が大きいほど大きく変化させ、目標発光量に近づくにつれて変化量が少なくなるように変化させる点にも特徴を有する。
【００２０】
具体的には、同図の（Ｂ）に示したように、本発明に係る表示制御手法では、目標発光量と現在の発光量との差分値に応じて現在の発光量からの変化量を決定し、決定した変化量だけ現在の発光量を変化させた発光量をバックライトの発光量として採用する。
【００２１】
たとえば、同図の（Ｂ）に示したように、時刻ｔ０における発光量（現在の発光量）と目標発光量との差分値が比較的大きい場合には、現在の発光量からの変化量として変化量（大）を決定する。そして、本発明に係る表示制御手法では、現在の発光量を変化量（大）だけ変化させた発光量をｔ１において更新されるフレームに適用する。ここで、変化量（大）は、画面のちらつきが発生しない程度の変化量とする。
【００２２】
また、時刻ｔ１における発光量（現在の発光量）と目標発光量との差分値は、時刻ｔ０における発光量（現在の発光量）と目標発光量との差分値よりも小さくなる。このため、本発明に係る表示制御手法では、現在の発光量からの変化量として変化量（中）を決定する。そして、本発明に係る表示制御手法では、現在の発光量を変化量（中）だけ変化させた発光量をｔ２において更新されるフレームに適用する。
【００２３】
同様に、時刻ｔ２における発光量（現在の発光量）と目標発光量との差分値は、時刻ｔ１における発光量（現在の発光量）と目標発光量との差分値よりも小さくなる。このため、本発明に係る表示制御手法では、現在の発光量からの変化量として変化量（小）を決定する。そして、本発明に係る表示制御手法では、現在の発光量を変化量（小）だけ変化させた発光量をｔ３において更新されるフレームに適用する。
【００２４】
これによって、バックライトの実際の発光量は、時刻ｔ０において更新されたフレームの輝度分布に基づいて決定された目標発光量と時刻ｔ３において一致することとなる。
【００２５】
このように、本発明に係る表示制御手法では、現在の発光量を目標発光量まで変化させる場合に、複数フレームかけて段階的に変化させることとしたため、バックライトの発光量の急激な変化を抑えることができ、この結果、画面のちらつきを防止することができる。
【００２６】
しかも、本発明に係る表示制御手法では、現在の発光量と目標発光量との差分値が大きい場合には、画面のちらつきが発生しない程度の変化量で現在の発光量を大きく変化させる一方、差分値が小さくなるにつれて変化量も少なくしていくことによって現在の発光量を目標発光量へなだらかに収束させることとした。これによって、バックライトの発光量を極力早く目標発光量に近づけることができるため、バックライトの発光量と目標発光量との差が大きい場合に生じやすい色つぶれを防ぐことができる。
【００２７】
ところで、使用する液晶ディスプレイによっては、バックライトの発光量をわずかに変化させただけでも画面にちらつきが生じる場合がある。そこで、目標発光量と現在の発光量との差分値が所定値以下であるならば、バックライトの発光量を変化させないこととしてもよい。これによって、バックライトの発光量のわずかな変化によって生じる画面のちらつきを防止することができる。
【００２８】
また、暗い画像と明るい画像とが交互に繰り返される場合には、現在の発光量からの変化量を少なくすることとしてもよい。これによって、バックライトの発光量を短期間で頻繁に変化させることによる処理負荷を低減することができる。
【００２９】
また、図１（Ａ）および（Ｂ）では、バックライトの発光量を目標発光量へ向かって増加させる場合について説明したが、本発明に係る表示制御手法では、バックライトの発光量を目標発光量へ向かって減少させる場合も同様に、バックライトの発光量を段階的に変化させる。
【００３０】
ここで、ハレーションは、バックライト制御を暗→明へ変化させた場合に発生し易く、逆に、明→暗へ変化させた場合には発生し難い。そこで、バックライトの発光量を減少させる場合には、バックライトの発光量を増加させる場合よりも変化量を多くしてもよい。これによって、バックライトの発光量を減少させる場合に、視認者に画面のちらつきを感じさせることなく、バックライトモジュール２２の発光量をより早く目標発光量へ近づけることができる。
【００３１】
なお、図１（Ａ）および（Ｂ）では、バックライトの実際の発光量を３段階で変化させる場合について説明したが、これに限ったものではなく、多段階であれば３段階より多くても少なくても構わない。
【００３２】
以下では、図１を用いて説明した表示制御手法を適用した表示制御装置についての実施例を詳細に説明する。なお、以下に示す実施例では、車載装置に搭載される液晶ディスプレイの表示制御を行う表示制御装置に対して本発明を適用する場合について説明する。ただし、本発明にかかる表示制御装置は、これに限ったものではなく、携帯端末装置やＰＣ（Personal Computer）あるいはＴＶ（Television）のように、バックライトを用いて表示を行う表示部を備える各種の装置に対して適用することができる。
【実施例】
【００３３】
図２は、本実施例に係る表示制御装置の構成を示すブロック図である。なお、同図には、表示制御装置の特徴を説明するために必要な構成要素のみを示しており、一般的な構成要素についての記載を省略している。
【００３４】
同図に示すように、本実施例に係る表示制御装置１０は、車載装置に搭載される液晶ディスプレイ２０の表示制御を行う装置である。ここで、液晶ディスプレイ２０は、液晶パネル２１と、バックライトモジュール２２とを備えている。液晶パネル２１は、表示制御装置１０から出力される画像データを表示する表示部である。また、バックライトモジュール２２は、液晶パネル２１の背面側に設けられた照明装置であり、液晶パネル２１に対して背面側から光を照射する。かかるバックライトモジュール２２による消費電力の高さが省電力化の妨げとなっている。
【００３５】
つづいて、本実施例に係る表示制御装置１０の構成について説明する。本実施例に係る表示制御装置１０は、制御部１１と、記憶部１２とを備えている。また、制御部１１は、画像データ取得部１１ａと、サブサンプリング部１１ｂと、ヒストグラム生成部１１ｃと、ヒストグラム解析部１１ｄと、発光量変更部１１ｅと、ＰＷＭ（Pulse Width Modulation）生成部１１ｆと、ＲＧＢ変換部１１ｇとを備えている。また、記憶部１２は、ＤＮＵＭ１２ａと、設定情報１２ｂとを記憶している。
【００３６】
画像データ取得部１１ａは、ナビゲーション画像等の画像データを車載装置から取得する処理部である。また、画像データ取得部１１ａは、取得した画像データをサブサンプリング部１１ｂおよびＲＧＢ変換部１１ｇへ渡す処理も併せて行う。
【００３７】
サブサンプリング部１１ｂは、画像データ取得部１１ａから画像データを取得した場合に、取得した画像データに対してサブサンプリングを行う処理部である。また、サブサンプリング部１１ｂは、サブサンプリング後の画像データをヒストグラム生成部１１ｃへ渡す処理も併せて行う。
【００３８】
ここで、サブサンプリングとは、取得した画像データから画素を間引く処理を示す。このように、取得した画像データに対してサブサンプリングを行うことによって、後述するヒストグラム生成部１１ｃやヒストグラム解析部１１ｄといった処理部の処理速度を高めることができる。なお、ここでは、ＷＶＧＡサイズ（８００×４８０）の画像データが１２８×６４のサイズに縮小されるものとする。
【００３９】
ヒストグラム生成部１１ｃは、サブサンプリング部１１ｂから取得したサブサンプリング後の画像データを用いてヒストグラムを生成する処理部である。また、ヒストグラム生成部１１ｃは、生成したヒストグラムをヒストグラム解析部１１ｄへ渡す処理も併せて行う。ここで、ヒストグラムとは、上述したように、画像データを構成する画素の輝度分布をあらわす情報である。なお、ヒストグラム生成部１１ｃは、画像データに含まれるＲ，Ｇ，Ｂの各成分うち、最も値の大きい成分を用いてヒストグラムを生成する。
【００４０】
ヒストグラム解析部１１ｄは、ヒストグラム生成部１１ｃによって生成されたヒストグラムをＤＮＵＭ１２ａを用いて解析することによって、バックライトモジュール２２の確定発光量を決定する処理部である。ＤＮＵＭ１２ａとは、後述する累積画素数の閾値を示す情報である。
【００４１】
ここで、かかるヒストグラム解析部１１ｄの動作例について図３を用いて説明する。図３は、ヒストグラム解析部１１ｄの動作例を示す図である。ここで、同図の（Ａ）には、ヒストグラムを用いた累積画素の計数処理の動作例を、同図の（Ｂ）には、目標発光量の決定処理の動作例を、それぞれ示している。
【００４２】
なお、同図の（Ａ）および（Ｂ）に示したように、画素の輝度値は、０〜２５５までの値を取る。また、バックライトの発光量は、輝度値が０のときを０％、２５５のときを１００％として、０〜１００％の値を取るように輝度値と予め対応付けられている。
【００４３】
ヒストグラム解析部１１ｄは、ヒストグラム生成部１１ｃからヒストグラムを取得すると、まず、ヒストグラムの高輝度側から順に画素数を計数する計数処理を行う。具体的には、同図の（Ａ）に示したように、ヒストグラム解析部１１ｄは、ヒストグラムにおける輝度値「２５５」の位置を計数開始ポイントとし、各輝度値に対応する画素数を計数開始ポイントから低輝度側へ向かって順に計数していく。なお、ここでは、同図の（Ａ）に示したように、解析中の輝度値に対応する位置を「算出ポイント」と記載する。
【００４４】
そして、ヒストグラム解析部１１ｄは、同図の（Ｂ）に示したように、計数した画素の累積数（以下、「累積画素数」と記載する）がＤＮＵＭ１２ａに達した場合における算出ポイント（輝度値）に対応する発光量を目標発光量として決定する。
【００４５】
たとえば、ヒストグラム解析部１１ｄは、累積画素数がＤＮＵＭ１２ａに達した位置の輝度値が「２００」である場合には、かかる輝度値「２００」に対応する発光量「７８％」を目標発光量として決定する。
【００４６】
このように、ヒストグラム生成部１１ｃやヒストグラム解析部１１ｄは、入力された画像データの輝度分布に基づいてバックライトの目標発光量を決定する目標発光量決定手段の一例として機能する。
【００４７】
図２に戻り、発光量変更部１１ｅについて説明する。発光量変更部１１ｅは、ヒストグラム解析部１１ｄから取得した目標発光量と現在の発光量との差分に基づいてバックライトモジュールの発光量を決定する処理部である。ここで、発光量変更部１１ｅの構成について図４を用いて説明する。図４は、本実施例に係る発光量変更部１１ｅの構成を示すブロック図である。
【００４８】
同図に示すように、発光量変更部１１ｅは、差分値算出部１１１と、変化量決定部１１２と、発光量決定部１１３と、変換係数決定部１１４とを備えている。また、設定情報１２ｂは、発光量履歴情報１２１と、変化量設定情報１２２と、ＲＧＢ変換情報１２３とを記憶している。
【００４９】
ここで、設定情報１２ｂについて説明しておく。発光量履歴情報１２１は、発光量決定部１１３によって決定されたバックライトモジュール２２の発光量の履歴情報である。かかる発光量履歴情報１２１には、バックライトモジュール２２の現在の発光量も履歴情報として含まれている。また、変化量設定情報１２２は、バックライトモジュール２２の発光量の変化量を決定する際に用いられる情報である。かかる発光量履歴情報１２１については、図５を用いて後述する。
【００５０】
また、ＲＧＢ変換情報１２３は、発光量決定部１１３によって決定されるバックライトモジュール２２の発光量ごとに、「ＲＧＢ変換係数」を対応付けた情報である。「ＲＧＢ変換係数」とは、Ｒ，Ｇ，Ｂの各成分の値（ＲＧＢ値）に対して掛け合わせる係数である。ここで、ＲＧＢ変換情報１２３は、発光量決定部１１３によって決定されるバックライトモジュール２２の発光量が少ないほど、すなわち、画面が暗くなるほど、ＲＧＢ変換係数が高くなるように設定されている。
【００５１】
差分値算出部１１１は、ヒストグラム解析部１１ｄから取得した目標発光量と現在の発光量との差分値を算出する処理部である。具体的には、差分値算出部１１１は、ヒストグラム解析部１１ｄから目標発光量を取得すると、発光量履歴情報１２１に含まれる現在の発光量を取り出し、目標発光量から現在の発光量を減算した値の絶対値を差分値とする。
【００５２】
また、差分値算出部１１１は、目標発光量から現在の発光量を減算した値が正の値であるか負の値であるか示す情報、すなわち、現在の発光量を増加させるべきか減少させるべきかを示す情報を、算出した差分値とともに変化量決定部１１２へ渡す処理も併せて行う。
【００５３】
変化量決定部１１２は、差分値算出部１１１から取得した差分値に応じて現在の発光量からの変化量を決定する処理部である。具体的には、変化量決定部１１２は、複数の閾値によって区切られる範囲のうち、差分値算出部１１１から取得した差分値が属する範囲に対応付けられた変化量を変化量設定情報１２２を用いて特定し、特定した変化量を現在の発光量からの変化量として決定する。
【００５４】
ここで、変化量設定情報１２２の内容について図５を用いて説明する。図５は、変化量設定情報１２２の一例を示す図である。
【００５５】
同図に示すように、変化量設定情報１２２は、大きさの異なる複数の閾値（閾値Ｌ１および閾値Ｌ２）によって区切られる範囲ごとに変化量を対応付けた情報である。具体的には、変化量設定情報１２２は、閾値Ｌ１および閾値Ｌ２によって区切られる「範囲」ごとに、「変化量（増加時）」および「変化量（減少時）」を対応付けた情報である。
【００５６】
ここで、「範囲」は、範囲「Ａ１」〜「Ａ３」を含んでいる。具体的には、範囲「Ａ１」は「閾値Ｌ１≦差分値」である範囲を示し、範囲「Ａ２」は「閾値Ｌ２≦差分値＜閾値Ｌ１」である範囲を示し、範囲「Ａ３」は「差分値＜閾値Ｌ２」である範囲を示している。なお、同図に示したように、閾値Ｌ１は閾値Ｌ２よりも大きいものとする。
【００５７】
また、「変化量（増加時）」は、バックライトモジュール２２の発光量を増加させる場合に適用される変化量を示す情報である。同図では、範囲「Ａ１」と対応付けて「HI_1」が記憶され、範囲「Ａ２」と対応付けて「MID_1」が記憶され、範囲「Ａ３」と対応付けて「LOW_1」が記憶されている。ここで、変化量（増加時）は、「HI_1」，「MID_1」，「LOW_1」のうち、「HI_1」が最も大きく、「LOW_1」が最も小さいものとする。また、変化量「HI_1」は、液晶ディスプレイ２０に画面のちらつきが生じない程度の変化量であるものとする。
【００５８】
また、「変化量（減少時）」とは、バックライトモジュール２２の発光量を減少させる場合に用いられる変化量を示す情報である。同図では、範囲「Ａ１」と対応付けて「HI_2」が記憶され、範囲「Ａ２」と対応付けて「MID_2」が記憶され、範囲「Ａ３」と対応付けて「LOW_2」が記憶されている。ここで、変化量（減少時）は、「HI_2」，「MID_2」，「LOW_2」のうち、「HI_2」が最も大きく、「LOW_2」が最も小さいものとする。また、変化量（減少時）の「HI_2」は、変化量（増加時）の「HI_1」よりも大きい値であるものとする。
【００５９】
このように、変化量設定情報１２２は、複数の閾値によって区切られる範囲のうち、より値の大きい閾値によって区切られる範囲ほど大きい変化量を対応付けている。また、変化量設定情報１２２は、目標発光量が現在の発光量よりも多い場合に用いられる第１の変化量設定情報と、目標発光量が現在の発光量よりも少ない場合に用いられる第２の変化量設定情報とを含んでいる。
【００６０】
変化量決定部１１２は、かかる変化量設定情報１２２を参照することによって、差分値算出部１１１から取得した差分値が属する範囲に対応する変化量をバックライトモジュール２２の変化量として決定する。また、変化量決定部１１２は、決定した変化量と、現在の発光量を増加させるべきか減少させるべきかを示す情報とを発光量決定部１１３へ渡す処理も併せて行う。
【００６１】
このように、差分値算出部１１１や変化量決定部１１２は、目標発光量決定手段によって決定された目標発光量とバックライトの現在の発光量との差分値に応じて現在の発光量からの変化量を決定する変化量決定手段の一例として機能する。
【００６２】
発光量決定部１１３は、変化量決定部１１２によって決定された変化量だけ現在の発光量を変化させた発光量をバックライトモジュール２２の発光量として決定する処理部である。具体的には、発光量決定部１１３は、発光量履歴情報１２１から現在の発光量を取り出し、取り出した現在の発光量を変化量決定部１１２から取得した変化量だけ変化させる処理を行う。
【００６３】
より具体的には、発光量決定部１１３は、現在の発光量を増加させるべき旨の情報を変化量決定部１１２から取得した場合には、発光量履歴情報１２１から取り出した現在の発光量に対して変化量決定部１１２から取得した変化量を加算した値をバックライトモジュール２２の発光量として決定する。また、発光量決定部１１３は、現在の発光量を減少させるべき旨を示す情報を変化量決定部１１２から取得した場合には、発光量履歴情報１２１から取り出した現在の発光量に対して変化量決定部１１２から取得した変化量を減算した値をバックライトモジュール２２の発光量として決定する。
【００６４】
また、発光量決定部１１３は、バックライトモジュール２２の発光量を決定すると、決定した発光量をＰＷＭ生成部１１ｆおよび変換係数決定部１１４へ渡す。また、発光量決定部１１３は、バックライトモジュール２２の発光量を決定すると、決定した発光量を発光量履歴情報１２１へ記憶する処理も行う。
【００６５】
ここで、変化量決定部１１２および発光量決定部１１３の動作例について図６を用いて説明する。図６は、変化量決定部１１２および発光量決定部１１３の動作例を示す図である。なお、同図の（Ａ）には、バックライトモジュール２２の発光量を増加させる場合の動作例を、同図の（Ｂ）には、バックライトモジュール２２の発光量を減少させる場合の動作例を、それぞれ示している。
【００６６】
また、同図の（Ａ）に示した目標発光量は、時刻ｔ０において更新されたフレーム（画像データ）のヒストグラムに基づく目標発光量であり、同図の（Ｂ）に示した目標発光量は、時刻ｔ４において更新されたフレームのヒストグラムに基づく目標発光量であるとする。
【００６７】
同図の（Ａ）に示したように、時刻ｔ０において更新されたフレームに適用された発光量（現在の発光量）と目標発光量との差分値Ｄ１が、図５に示した範囲「Ａ１」に属するとする。かかる場合、変化量決定部１１２は、変化量設定情報１２２から範囲「Ａ１」に対応する変化量（増加時）「HI_1」を取り出し、取り出した変化量「HI_1」を発光量決定部１１３へ渡す。
【００６８】
そして、発光量決定部１１３は、変化量決定部１１２から変化量「HI_1」を取得すると、発光量履歴情報１２１から現在の発光量を取り出し、取り出した現在の発光量に対して変化量「HI_1」を加算した値をバックライトモジュール２２として決定する。これによって、バックライトモジュール２２の発光量は、時刻ｔ１において変化量「HI_1」だけ増加することとなる。
【００６９】
また、時刻ｔ１において更新されたフレームに適用された発光量（現在の発光量）と目標発光量との差分値Ｄ２が、図５に示した範囲「Ａ２」に属するとする。かかる場合、変化量決定部１１２は、変化量設定情報１２２から範囲「Ａ２」に対応する変化量（増加時）「MID_1」を取り出し、取り出した変化量「MID_1」を発光量決定部１１３へ渡す。なお、上述したように、変化量「MID_1」は、変化量「HI_1」よりも小さい値である。
【００７０】
そして、発光量決定部１１３は、変化量決定部１１２から変化量「MID_1」を取得すると、発光量履歴情報１２１から現在の発光量を取り出し、取り出した現在の発光量に対して変化量「MID_1」を加算した値をバックライトモジュール２２として決定する。これによって、バックライトモジュール２２の発光量は、時刻ｔ２において変化量「MID_1」だけ増加することとなる。
【００７１】
また、時刻ｔ２において更新されたフレームに適用された発光量（現在の発光量）と目標発光量との差分値Ｄ３が、図５に示した範囲「Ａ３」に属するとする。かかる場合、変化量決定部１１２は、変化量設定情報１２２から範囲「Ａ３」に対応する変化量（増加時）「LOW_1」を取り出し、取り出した変化量「LOW_1」を発光量決定部１１３へ渡す。なお、上述したように、変化量「LOW_1」は、変化量「MID_1」よりも小さい値である。
【００７２】
そして、発光量決定部１１３は、変化量決定部１１２から変化量「LOW_1」を取得すると、発光量履歴情報１２１から現在の発光量を取り出し、取り出した現在の発光量に対して変化量「LOW_1」を加算した値をバックライトモジュール２２として決定する。これによって、バックライトモジュール２２の発光量は、時刻ｔ３において変化量「LOW_1」だけ増加することとなる。
【００７３】
このように、本実施例では、バックライトモジュール２２の発光量を目標発光量と一致させる場合に、バックライトモジュール２２の発光量を１フレームで急激に変化させるのではなく、複数フレームかけて段階的に変化させることによって目標発光量と一致させることとした。したがって、バックライトモジュール２２の発光量の急激な変化を抑えることができ、この結果、画面のちらつきを防止することができる。
【００７４】
しかも、本実施例では、現在の発光量と目標発光量との差分値が大きい場合には、画面のちらつきが発生しない程度の変化量で現在の発光量を大きく変化させる一方、差分値が小さくなるにつれて変化量も少なくしていくことによって現在の発光量を目標発光量へなだらかに収束させることとした。これによって、バックライトモジュール２２の発光量を極力早く目標発光量に近づけることができるため、バックライトモジュール２２の発光量と目標発光量との差が大きい場合に生じやすい色つぶれを防ぐことができる。
【００７５】
一方、同図の（Ｂ）に示したように、時刻ｔ４において更新されたフレームに適用された発光量（現在の発光量）と目標発光量との差分値Ｄ４が、図５に示した範囲「Ａ１」に属するとする。かかる場合、変化量決定部１１２は、変化量設定情報１２２から範囲「Ａ１」に対応する変化量（減少時）「HI_2」を取り出し、取り出した変化量「HI_2」を発光量決定部１１３へ渡す。
【００７６】
そして、発光量決定部１１３は、変化量決定部１１２から変化量「HI_2」を取得すると、発光量履歴情報１２１から現在の発光量を取り出し、取り出した現在の発光量に対して変化量「HI_2」を減算した値をバックライトモジュール２２として決定する。これによって、バックライトモジュール２２の発光量は、時刻ｔ５において変化量「HI_2」だけ減少することとなる。
【００７７】
ここで、本実施例では、上述したように、バックライトモジュール２２を減少させる場合に用いられる変化量「HI_2」は、バックライトモジュール２２を増加させる場合に用いられる変化量「HI_1」よりも大きな値としている。これは、画面が瞬間的に明るくなる場合よりも瞬間的に暗くなる場合の方が視認者によって認識され難いためである。
【００７８】
このように、バックライトモジュール２２の発光量を減少させる場合の最大発光量をバックライトモジュール２２の発光量を増加させる場合の最大発光量よりも大きくすることで、視認者に画面のちらつきを感じさせることなく、バックライトモジュール２２の発光量をより早く目標発光量へ近づけることができる。
【００７９】
また、バックライトモジュール２２の発光量の最大減少量を多くすることによって、バックライトモジュール２２による消費電力の削減量が増えるため、省電力効果をより一層高めることができる。
【００８０】
なお、時刻ｔ５において更新されたフレームに適用された発光量と目標発光量との差分値Ｄ５が、範囲「Ａ２」に属する場合には、バックライトモジュール２２の発光量は、時刻ｔ６において変化量「MID_2」だけ減少することとなる。また、時刻ｔ６において更新されたフレームに適用された発光量と目標発光量との差分値Ｄ６が、範囲「Ａ３」に属する場合には、バックライトモジュール２２の発光量は、時刻ｔ７において変化量「LOW_2」だけ減少することとなる。
【００８１】
ところで、発光量履歴情報１２１として記憶される変化量の値は任意に設定可能である。たとえば、各変化量（たとえば、「HI_1」や「MID_1」など）を全体的に少なめに設定することによって、バックライトモジュール２２の発光量が目標発光量へ向かってなだらかに変化することとなる。このため、画面のちらつきの発生をより確実に防止することができる。
【００８２】
ただし、かかる場合には、実際の発光量が目標発光量に対してゆっくり追従していくこととなるため、ハレーションが発生しやすくなる。ここで、ハレーションとは、明るい画像が入力された場合に、少ない発光量でバックライトモジュール２２を発光させることによって画像中の特に明るい部分の色がつぶれたように見える現象を示す。
【００８３】
一方、発光量履歴情報１２１として記憶される各変化量を全体的に多めに設定した場合には、実際の発光量が目標発光量に対して素早く追従するため、ハレーションの発生を防止することができる。しかし、かかる場合には、実際の発光量の変化量が多くなるため、画面のちらつきが発生しやすくなる。このような事情を考慮して、発光量履歴情報１２１として記憶される変化量の値を液晶ディスプレイ２０のデバイス特性等に応じた適切な値に設定することとすれば、ハレーションの発生と画面のちらつきの発生をバランスよく防止することが可能となる。
【００８４】
また、発光量履歴情報１２１として記憶される閾値Ｌ１および閾値Ｌ２の値も任意に設定可能である。また、閾値の設定数も同様に、任意に変更することができる。特に、閾値の数を０とした場合には、目標発光量を実際の発光量に対して即反映させることができる。
【００８５】
図４に戻り、変換係数決定部１１４について説明する。変換係数決定部１１４は、発光量決定部１１３からバックライトモジュール２２の発光量を取得した場合に、取得した発光量に対応するＲＧＢ変換係数をＲＧＢ変換情報１２３を用いて決定する処理部である。また、変換係数決定部１１４は、決定したＲＧＢ変換係数をＲＧＢ変換部１１ｇへ渡す処理も併せて行う。
【００８６】
図２に戻り、ＰＷＭ生成部１１ｆについて説明する。ＰＷＭ生成部１１ｆは、バックライトモジュール２２の発光量が発光量決定部１１３から取得した発光量となるようにパルス幅が調整されたＰＷＭ信号を生成してバックライトモジュール２２へ出力する処理部である。なお、ＰＷＭ生成部１１ｆは、ＶＳＹＮＣ（Vertical Synchronizing signal：垂直同期信号）が１回出力されるごとに、ＰＷＭ信号を４回出力することとしている。
【００８７】
ＲＧＢ変換部１１ｇは、画像データ取得部１１ａから取得した画像データに含まれるＲ，Ｇ，Ｂの各成分の値に対して、変換係数決定部１１４から取得したＲＧＢ変換係数を掛け合わせるＲＧＢ変換処理を行う処理部である。また、ＲＧＢ変換部１１ｇは、ＲＧＢ変換処理後の画像データを液晶パネル２１へ出力する処理も併せて行う。
【００８８】
たとえば、ＲＧＢ変換部１１ｇは、ＲＧＢ変換係数「１．２６」を取得した場合、画像データ取得部１１ａから取得した画像データに含まれるＲ，Ｇ，Ｂの各成分の値を１．２６倍する。そして、ＲＧＢ変換部１１ｇは、Ｒ，Ｇ，Ｂの各成分の値を１．２６倍した画像データを液晶パネル２１へ出力する。
【００８９】
なお、上述したように、ＲＧＢ変換情報１２３は、発光量決定部１１３によって決定されるバックライトモジュール２２の発光量が少ないほど、ＲＧＢ変換係数が高くなるように設定されている。したがって、ＲＧＢ変換部１１ｇは、バックライトモジュール２２の発光量が少ないほどＲＧＢ値を大きく補正することとなる。このように、本実施例では、バックライトモジュール２２の発光量を少なくする場合であっても、ＲＧＢ変換部１１ｇによってＲＧＢ値を高める補正を行うことで、見た目の明るさを一定に保ち、画質劣化を防止することとしている。
【００９０】
次に、本実施例に係る表示制御装置１０の具体的動作について図７を用いて説明する。図７は、本実施例に係る表示制御装置１０の処理手順を示すフローチャートである。ここで、同図には、バックライトモジュール２２の発光量を増加させる場合における表示制御装置１０の処理手順を示している。なお、表示制御装置１０の変化量決定部１１２は、上述したように、バックライトモジュール２２の発光量を増加させるかあるいは減少させるかを差分値算出部１１１からの情報に基づいて判定する。
【００９１】
同図に示すように、表示制御装置１０では、サブサンプリング部１１ｂが、画像データ取得部１１ａによって取得された画像データに対してサブサンプリングを行う（ステップＳ１０１）。つづいて、表示制御装置１０では、ヒストグラム生成部１１ｃが、サブサンプリング後の画像データを用いてヒストグラムを生成し（ステップＳ１０２）、ヒストグラム解析部１１ｄが、ヒストグラムおよびＤＮＵＭ１２ａを用いて目標発光量を決定する（ステップＳ１０３）。
【００９２】
つづいて、表示制御装置１０では、差分値算出部１１１が、目標発光量と現在の発光量との差分値を算出し（ステップＳ１０４）、変化量決定部１１２が、算出した差分値が範囲「Ａ１」に属するか否かを判定する（ステップＳ１０５）。そして、差分値が範囲「Ａ１」に属すると判定した場合には（ステップＳ１０５、Ｙｅｓ）、変化量決定部１１２は、変化量設定情報１２２を参照して変化量「HI_1」を選択する（ステップＳ１０６）。
【００９３】
一方、差分値算出部１１１によって算出した差分値が範囲「Ａ１」に属さない場合（ステップＳ１０５、Ｎｏ）、変化量決定部１１２は、算出した差分値が範囲「Ａ２」に属するか否かを判定する（ステップＳ１０７）。そして、差分値が範囲「Ａ２」に属すると判定した場合には（ステップＳ１０７、Ｙｅｓ）、変化量決定部１１２は、変化量設定情報１２２を参照して変化量「MID_1」を選択する（ステップＳ１０８）。
【００９４】
一方、差分値算出部１１１によって算出した差分値が範囲「Ａ２」に属さない場合（ステップＳ１０７、Ｎｏ）、変化量決定部１１２は、変化量設定情報１２２を参照して変化量「LOW_1」を選択する（ステップＳ１０９）。
【００９５】
つづいて、発光量決定部１１３は、発光量履歴情報１２１から取り出した現在の発光量に対して、ステップＳ１０６，１０８，１０９の何れかにおいて選択された変化量を加算した値をバックライトモジュール２２の発光量として決定する（ステップＳ１１０）。また、発光量決定部１１３は、決定した発光量を発光量履歴情報１２１へ記憶する（ステップＳ１１１）。
【００９６】
つづいて、ＰＷＭ生成部１１ｆは、変更後発光量に応じたＰＷＭ信号を生成してバックライトモジュール２２へ出力する（ステップＳ１１２）。つづいて、ＲＧＢ変換部１１ｇは、画像データ取得部１１ａから取得した画像データに含まれるＲ，Ｇ，Ｂの各成分の値に対して、変更後発光量に対応するＲＧＢ変換係数を掛け合わせるＲＧＢ変換処理を行う（ステップＳ１１３）。そして、表示制御装置１０では、ＲＧＢ変換部１１ｇは、ＲＧＢ変換処理後の画像データを液晶パネル２１へ出力して（ステップＳ１１４）、処理を終了する。
【００９７】
上述してきたように、本実施例では、ヒストグラム解析部が、入力された画像データの輝度値に基づいて前記バックライトの目標発光量を決定し、変化量決定部が、決定された目標発光量とバックライトの現在の発光量との差分値に応じて現在の発光量からの変化量を決定し、発光量決定部が、決定された変化量だけ現在の発光量を変化させた発光量をバックライトの発光量として決定することとした。したがって、本実施例によれば、バックライトによる消費電力を抑えつつ、画像の明るさが頻繁に変化した場合に生じる画面のちらつきを低減することができる。
【００９８】
ところで、上述してきた実施例では、バックライトモジュール２２の発光量と目標発光量と差がわずかな場合であっても、バックライトモジュール２２の発光量を変化させることとした。しかしながら、液晶ディスプレイ２０の性能によっては、バックライトモジュール２２の発光量をわずかに変化させただけでも画面にちらつきが生じる場合がある。
【００９９】
そこで、バックライトモジュール２２の発光量と目標発光量との差分値が所定値を下回る場合には、バックライトモジュール２２の発光量を変化させないこととしてもよい。以下では、かかる場合について図８を用いて説明する。図８は、変化量決定部１１２の他の動作例を示す図である。なお、同図の（Ａ）には、変化量設定情報１２２の他の一例を、同図の（Ｂ）には、バックライトモジュール２２の発光量を増加させる場合の他の動作例を、それぞれ示している。
【０１００】
同図の（Ａ）に示したように、変化量設定情報１２２には、範囲「Ａ３」に対して変化量（増加時）および変化量（減少時）ともに「０」が対応付けられている（同図の（Ａ−1）参照）。
【０１０１】
同図の（Ｂ）に示したように、変化量決定部１１２は、時刻ｔ２における差分値が範囲「Ａ３」に属する場合、すなわち、時刻ｔ２における差分値が閾値Ｌ２を下回る場合には、変化量設定情報１２２を参照して変化量「０」を選択して発光量決定部１１３へ渡す。
【０１０２】
そして、発光量決定部１１３は、変化量決定部１１２から取得した変化量が「０」であるため、発光量履歴情報１２１から取り出した現在の発光量をバックライトモジュール２２の発光量として決定する。これによって、バックライトモジュール２２の発光量は、目標発光量との間に差があるにもかかわらず変化しないこととなる。
【０１０３】
このように、バックライトモジュール２２の発光量と目標発光量との差分値が所定値を下回る場合に、バックライトモジュール２２の現在の発光量からの変化量を０とすることによって、バックライトモジュール２２の発光量のわずかな変化によって生じる画面のちらつきを防止することができる。
【０１０４】
なお、ここでは、閾値Ｌ２を所定値として説明したが、これに限ったものではなく、閾値Ｌ２よりも小さい値を所定値として別途設けることとしてもよい。
【０１０５】
ところで、点滅シーンのように暗い画像と明るい画像とが交互に繰り返される場合に、上述してきた実施例のように、バックライトモジュール２２の発光量を逐一変更していたのでは、制御部１１や液晶ディスプレイ２０に対して大きな処理負荷がかかることとなる。
【０１０６】
そこで、暗い画像と明るい画像とが交互に繰り返される場合には、現在の発光量からの変化量を少なくするまたは０とすることとしてもよい。具体的には、変化量決定部１１２は、発光量履歴情報１２１として記憶されたバックライトモジュール２２の発光量履歴に基づき、画面が点滅していることを判定する。そして、変化量決定部１１２は、画面が点滅していると判定した場合に、変化量設定情報１２２から取り出した変化量に対して所定の係数を乗じることによってかかる変化量を少なくする（または０とする）。
【０１０７】
以下では、かかる場合について図９を用いて説明する。図９は、変化量決定部１１２の他の動作例を示す図である。なお、同図の（Ａ）には、明るい画像と暗い画像とが交互に繰り返される様子を示し、同図の（Ｂ）には、バックライトモジュール２２の発光量の履歴を示し、同図の（Ｃ）には、変化量決定部１１２によって決定されるバックライトモジュール２２の発光量の変化量を示している。
【０１０８】
同図の（Ａ）に示したように、明るいフレームＦ１，Ｆ３と暗いフレームＦ２，Ｆ４とが、Ｆ１→Ｆ２→Ｆ３→Ｆ４の順で表示されたとする。かかる場合、発光量決定部１１３は、各フレームＦ１〜Ｆ４のそれぞれにおいてバックライトモジュール２２の発光量を決定すると、決定した各発光量を発光量履歴情報１２１としてその都度記憶部１２に記憶していく。
【０１０９】
これによって、同図の（Ｂ）に示したように、記憶部１２には、フレームＦ１において決定された発光量「Ｅ１」、フレームＦ２において決定された発光量「Ｅ２」、フレームＦ３において決定された発光量「Ｅ３」およびフレームＦ４において決定された発光量「Ｅ４」が発光量履歴情報１２１として記憶される。
【０１１０】
そして、変化量設定情報１２２は、これらバックライトモジュール２２の発光量履歴に基づいて画面が点滅していることを判定する。具体的には、変化量決定部１１２は、隣接するフレーム間の発光量の差分値が全て所定値以上である場合に、画面が点滅していると判定する。
【０１１１】
すなわち、フレームＦ１およびフレームＦ２間の発光量の差分値「Ｅ１−Ｅ２」（絶対値）、フレームＦ２およびフレームＦ３間の発光量の差分値「Ｅ２−Ｅ３」（絶対値）、フレームＦ３およびフレームＦ４間の発光量の差分値「Ｅ３−Ｅ４」（絶対値）が全て所定値以上である場合、変化量決定部１１２は、画面が点滅していると判定する。
【０１１２】
そして、同図の（Ｃ）に示したように、変化量決定部１１２は、画面が点滅していると判定すると、変化量設定情報１２２から取り出した変化量に対して所定の係数を乗じることによってかかる変化量を少なくする（または０とする）。
【０１１３】
たとえば、フレームＦ５のヒストグラムに基づいて決定された目標発光量が、フレームＦ５における実際の発光量よりも閾値Ｌ１以上多いとする。かかる場合、変化量決定部１１２は、変化量設定情報１２２から変化量「HI_1」を取り出すとともに、取り出した変化量「HI_1」に対して所定の係数「０」を乗じることによってバックライトモジュール２２の発光量の変化量を「０」とする。これによって、バックライトモジュール２２の発光量は、フレームＦ６においてもフレームＦ５と同一の発光量となる。
【０１１４】
このように、記憶部１２が、発光量決定部１１３よって決定されたバックライトモジュール２２の発光量を所定フレーム分記憶し、変化量決定部１１２が、記憶部１２に記憶された発光量に基づいて画面が点滅していると判定した場合に、画像が点滅していない場合と比較して現在の発光量からの変化量を少なくする。これによって、バックライトモジュール２２の発光量を短期間で頻繁に変化させることによる処理負荷を低減することができる。なお、ここでは、所定の係数を「０」として説明したが、これに限ったものではなく、所定の係数は、０以上かつ１を超えない範囲で任意に設定することができる。
【０１１５】
また、昼間と夜間とで変化量を変えることとしてもよい。たとえば、発光量決定部１１３は、昼間（たとえば、午前９〜午後５時）の場合には、変化量設定情報１２２から取り出した変化量に対して昼用係数を乗じた値をバックライトモジュール２２の変化量として決定する。また、発光量決定部１１３は、夜間（たとえば、午後５〜午前９時）の場合には、変化量設定情報１２２から取り出した変化量に対して夜用係数を乗じた値をバックライトモジュール２２の変化量として決定する。ここで、昼用係数は、夜用係数よりも大きな値とする。これによって、画像の明るさだけでなく周囲の明るさも考慮してバックライトモジュール２２の発光量を変更させることができる。
【０１１６】
なお、上述してきた実施例では、バックライトモジュール２２の発光量と目標発光量と差分値に応じて現在の発光量からの変更量を決定することとしたが、差分値に関係なく、バックライトモジュール２２の発光量を指定した発光量に強制的に変更するようにしてもよい。
【産業上の利用可能性】
【０１１７】
以上のように、本発明に係る表示制御装置および表示制御方法は、バックライトによる消費電力を抑えつつ、画像の明るさが頻繁に変化した場合に生じる画面のちらつきを低減したい場合に有用であり、特に、車載装置の液晶ディスプレイの消費電力を抑えたい場合に適している。
【符号の説明】
【０１１８】
１０    表示制御装置
１１    制御部
１１ａ  画像データ取得部
１１ｂ  サブサンプリング部
１１ｃ  ヒストグラム生成部
１１ｄ  ヒストグラム解析部
１１ｅ  発光量変更部
１１１    差分値算出部
１１２    変化量決定部
１１３    発光量決定部
１１４    変換係数決定部
１１ｆ  ＰＷＭ生成部
１１ｇ  ＲＧＢ変換部
１２    記憶部
１２ａ  ＤＮＵＭ
１２ｂ  設定情報
１２１    発光量履歴情報
１２２    変化量設定情報
１２３    ＲＧＢ変換情報
２０    液晶ディスプレイ
２１    液晶パネル
２２    バックライトモジュール
【図１】
0005604136.tif 000002
【図２】
0005604136.tif 000003
【図３】
0005604136.tif 000004
【図４】
0005604136.tif 000005
【図５】
0005604136.tif 000006
【図６】
0005604136.tif 000007
【図７】
0005604136.tif 000008
【図８】
0005604136.tif 000009
【図９】
0005604136.tif 000010